(57)【要約】【課題】中空搭状構造物を解体する際に粉塵が周辺環境に飛散することを確実に防ぐことができる解体装置を提供する。【解決手段】中空塔状構造物用解体装置１は、塔状構造物Ｗの上方に吊り上げられる架台５の下に取り付けられた破砕装置６を備え、破砕装置６は、下方に延びる固定破砕腕６１と、この上部に設けられた軸に上端が枢着され、固定破砕腕６１に対し開閉動作される可動破砕腕６２とを有し、可動破砕腕６２の閉じ動作によって、刃先部６２ａを塔状構造物Ｗの被破砕部Ｗａに食い込ませつつ被破砕部Ｗａを固定破砕腕６１と可動破砕腕６２との間に挟んで圧砕する。可動破砕腕６２の刃先部６２ａには、被破砕部Ｗａに向けて水を噴射する噴射ノズル７０が設けられている、可動破砕腕６２の刃先部６２ａが食い込む被破砕部Ｗａの部分Ｗｂは細かく崩され粉塵となって堆積し、この粉塵は噴射ノズル７１から噴射する水によって湿らされる。【選択図】  図２
2008196225.tif 000002
【特許請求の範囲】
【請求項１】
中空塔状構造物を解体する解体装置であって、
クレーンにより前記塔状構造物の上方に吊り上げられる、動力源を搭載した架台と、前記架台の下に取り付けられた破砕装置とを備え、
前記破砕装置は、下方に延びる固定破砕腕と、前記固定破砕腕の上部に設けられた軸に上端が枢着され、前記動力源からの動力によって前記固定破砕腕に対し開閉動作される可動破砕腕とを有し、前記可動破砕腕の閉じ動作によって、前記可動破砕腕の下端の刃先部を前記塔状構造物の被破砕部に食い込ませつつ前記被破砕部を前記固定破砕腕と前記可動破砕腕との間に挟んで圧砕するように構成されるものにおいて、
前記可動破砕腕の刃先部に、前記被破砕部に向けて水を噴射する噴射ノズルが設けられていることを特徴とする中空塔状構造物用解体装置。
【請求項２】
前記可動破砕腕の刃先部の一部に、該刃先部の先端に開口する孔が形成され、
前記孔内に前記噴射ノズルが装着されていることを特徴とする請求項１記載の中空塔状構造物用解体装置。
【請求項３】
前記噴射ノズルに水を供給する給水ホースが、前記可動破砕腕の中空部を通して前記噴射ノズルに接続されていることを特徴とする請求項２記載の中空塔状構造物用解体装置。
【発明の詳細な説明】
【技術分野】
【０００１】
本発明は、煙突のような中空搭状構造物を解体する際に用いられる解体装置に関するものである。
【背景技術】
【０００２】
ゴミ焼却場の煙突のような中空搭状構造物を解体する場合に、解体によって発生する粉塵や粉塵に含まれるダイオキシン等の有害物質が飛散し、周辺環境を汚染するおそれがある。
【０００３】
そこで、粉塵が周辺環境に飛散することを防ぐために、例えば下記特許文献１に記載されたような解体装置が知られている。
【０００４】
この解体装置は、クレーンにより塔状構造物の上方に吊り上げられる、動力源を搭載した架台と、架台の下に取り付けられた破砕装置とを備える。破砕装置は、下方に延びる固定破砕腕と、固定破砕腕の上部に設けられた軸に上端が枢着され、動力源からの動力によって固定破砕腕に対し開閉動作される可動破砕腕とを有している。また、固定破砕腕の上部に、塔状構造物の被破砕部の上端に向けて水を噴射する噴射ノズルが設けられている。
【０００５】
塔状構造物の解体に際しては、破砕装置により搭状構造物を上端から下方へ向かって順次破砕する。破砕装置は、可動破砕腕の閉じ動作によって、可動破砕腕の下端の刃先部を被破砕部に食い込ませつつ被破砕部を固定破砕腕と可動破砕腕との間に挟んで圧砕する。被破砕部の圧砕に際し、粉塵が空気中に舞い上がって周辺環境に飛散する可能性がある。そこで、上記従来例では、噴射ノズルにより被破砕部に上方から水を掛け、被破砕部を湿らせて粉塵の舞い上がりを抑制している。この結果、被破砕部から生じた粉塵が周辺環境に飛散することが防がれる。
【０００６】
しかしながら、上記従来例のものでも、周辺環境への粉塵の飛散を確実に防ぐことはできなかった。
【特許文献１】特開２０００−０５４３０８号公報
【発明の開示】
【発明が解決しようとする課題】
【０００７】
本願発明者は、鋭意努力の結果、粉塵が飛散するのは以下の理由に因ることを知見するに至った。すなわち、可動破砕腕の刃先部が食い込む被破砕部の部分（刃先食い込み部分）は細かく崩され、粉塵となって堆積する。刃先食い込み部分には上方の噴射ノズルから噴射される水が掛からないため、この部分に堆積する粉塵は乾いたままになる。その結果、被破砕部全体が圧砕されたときに、刃先食い込み部分に堆積していた粉塵が空気中に舞い上がり周辺環境に飛散してしまう。
【０００８】
本発明は、以上の点に鑑み、中空搭状構造物を解体する際に粉塵が周辺環境に飛散することを確実に防ぐことができる解体装置を提供することを目的とする。
【課題を解決するための手段】
【０００９】
上記目的を達成するために、本発明の中空塔状構造物用解体装置は、中空塔状構造物を解体する解体装置であって、クレーンにより前記塔状構造物の上方に吊り上げられる、動力源を搭載した架台と、前記架台の下に取り付けられた破砕装置とを備え、前記破砕装置は、下方に延びる固定破砕腕と、前記固定破砕腕の上部に設けられた軸に上端が枢着され、前記動力源からの動力によって前記固定破砕腕に対し開閉動作される可動破砕腕とを有し、前記可動破砕腕の閉じ動作によって、前記可動破砕腕の下端の刃先部を前記塔状構造物の被破砕部に食い込ませつつ前記被破砕部を前記固定破砕腕と前記可動破砕腕との間に挟んで圧砕するように構成されるものにおいて、前記可動破砕腕の刃先部に、前記被破砕部に向けて水を噴射する噴射ノズルが設けられていることを特徴とする。
【００１０】
本発明によれば、噴射ノズルが可動破砕腕の刃先部に被破砕部に向けて水を噴射するように設けられていることにより、可動破砕腕の刃先部が食い込む被破砕部の部分に堆積する粉塵に噴射ノズルから水が掛けられる。この結果、この部分に堆積していた粉塵が湿らされることにより、粉塵の舞い上がりが抑制される。したがって、中空搭状構造物を解体する際に粉塵が周辺環境に飛散することを確実に防ぐことができる。
【００１１】
また、本発明においては、前記可動破砕腕の刃先部の一部に、該刃先部の先端に開口する孔が形成され、前記孔内に前記噴射ノズルが装着されていることが好ましい。これによれば、噴射ノズルからの水が可動破砕腕の刃先部先端から噴射されることになり、可動破砕腕の刃先部が食い込む被破砕部の部分に確実に水を掛けることができる。
【００１２】
また、本発明においては、前記噴射ノズルに水を供給する給水ホースが、前記可動破砕腕の中空部を通して前記噴射ノズルに接続されていることが好ましい。これによれば、可動破砕腕の閉じ動作による被破砕部の圧砕時に給水ホースが被破砕部から保護され、給水ホースが破損することを防ぐことができる。
【発明を実施するための最良の形態】
【００１３】
次に、添付の図面を参照しながら本発明の実施形態についてさらに詳しく説明する。図１は本発明の実施形態の中空塔状構造物用解体装置を示す正面図であり、図２は図１示の中空塔状構造物用解体装置の要部を示す拡大図である。
【００１４】
中空塔状構造物用解体装置（以下、解体装置という）１は、クレーン２のブーム２ａにフック３及びワイヤ４を介して吊持され、解体すべき中空塔状構造物である煙突Ｗの上方に、クレーン２によって吊り上げられる架台５と、架台５の下に取り付けられた破砕装置６とを備える。
【００１５】
架台５は、オイルタンクを兼ねる基台１１と、基台１１に設けられた主軸１２の下端に取り付けられた旋回フレーム１３とで構成される。基台１１上には、エンジン１４、エンジン１４により減速歯車装置１５を介して駆動される油圧ポンプ１６、油圧ポンプ１６に連結された油圧モータ１７、発電機１８等の動力源と、地上からの操縦指令を受けて破砕装置６を操縦するためのアンテナ１９ａ付きの無線操縦装置１９と、水槽２４とが搭載されている。主軸１２は、油圧モータ１７によってベベルギヤ２０，２１を介して正逆自在に回転できるようになっていて、主軸１２の回転により旋回フレーム１３が旋回させられる。旋回フレーム１３の端部から下方に突出する部分１３ａには、後述の破砕装置６の破砕腕６１，６２の作動を監視するためのテレビジョンカメラ２２が取り付けられている。また、クレーン２のブーム２ａには、破砕装置６全体を監視するためのテレビジョンカメラ２３が取り付けられている。作業者は、テレビジョンカメラ２２，２３の映像を基にクレーン２や破砕装置６等を操縦する。
【００１６】
破砕装置６は、姿勢傾斜用油圧シリンダ６３及びリンク６４によって旋回フレーム１３に吊り下げられた下方に延びる固定破砕腕６１と、固定破砕腕６１の上部から略水平に屈曲する屈曲部の中央に設けられた軸６８に上端が枢着された可動破砕腕６２とで構成される。固定破砕腕６１の上端部と可動破砕腕６２の中央部とは、破砕動用油圧シリンダ６５により連結されている。破砕動用油圧シリンダ６５には基台１１上の動力源たる油圧ポンプ１６からの油圧が供給される。この破砕動用油圧シリンダ６５の伸縮作動により、可動破砕腕６２が固定破砕腕６１に対し開閉動作する。そして、可動破砕腕６２の閉じ動作によって、可動破砕腕６２の下端の刃先部６２ａを煙突Ｗの被破砕部Ｗａに食い込ませつつ被破砕部Ｗａを固定破砕腕６１と可動破砕腕６２との間に挟んで圧砕する。
【００１７】
また、固定破砕腕６１の屈曲部の近傍及び可動破砕腕６２の上端部の近傍には、上下方向に長手の横鉄筋切断刃６１ｂ，６２ｂと、この切断刃６１ｂ，６２ｂの下端から横方向に張り出す縦鉄筋切断刃６１ｃ，６２ｃとが設けられている。そして、被破砕部Ｗａの圧砕により露出する横鉄筋と縦鉄筋とは、これらの横鉄筋切断刃６１ｂ，６２ｂと縦鉄筋切断刃６１ｃ，６２ｃとにより切断される。
【００１８】
さらに、固定破砕腕６１の下端部６１ａには、その背面と両側面とを覆うとともに可動破砕腕６２側へ開いた断面コの字状の落下防止部６６が付設されている。落下防止部材６６の背面と固定破砕腕６１の背面との間には引張りバネ６７が設けられ、引張りバネ６７により落下防止部材６６は可動破砕腕６２側へ付勢されている。落下防止部材６６は、被破砕部Ｗａの圧砕により生じた破砕片を、引張りバネ６７の付勢により煙突Ｗの内側に押しやる。これにより、破砕片が煙突Ｗの外側に落下することが防がれる。
【００１９】
可動破砕腕６２の下端の刃先部６２ａの一部には、刃先部６２ａの先端に開口する孔６９が形成されていて、この孔６９内に水を噴射する噴射ノズル７０が装着されている。噴射ノズル７０には、架台５に搭載した水槽２４に接続される高圧ポンプ等の高圧水発生装置２４ａで昇圧された水が耐圧性の高い給水ホース７１を介して供給される。給水ホース７１は、架台５の主軸１２を軸方向に貫通するとともに、可動破砕腕６２の中空部を通って噴射ノズル７０に接続されている。このような構成により、噴射ノズル７０は、固定破砕腕６１と可動破砕腕６２とにより被破砕部Ｗａを圧砕する際に、被破砕部Ｗａに向けて水を噴射することができる。
【００２０】
次に、本実施形態の解体装置１の作動について説明する。破砕装置６が煙突Ｗを上端から下方へ向かって順次破砕する。破砕装置６は、可動破砕腕６２の閉じ動作によって、可動破砕腕６２の刃先部６２ａを被破砕部Ｗａに食い込ませつつ被破砕部Ｗａを固定破砕腕６１と可動破砕腕６２との間に挟んで圧砕する。このとき、可動破砕腕６２の刃先部６２ａが食い込む被破砕部Ｗａの部分（以下、刃先食い込み部分という）Ｗｂは細かく崩され、粉塵となって堆積する。噴射ノズル７０が水を噴射することにより、刃先食い込み部分Ｗｂに水が掛けられる。この結果、この刃先食い込み部分Ｗｂに堆積していた粉塵が湿らされることにより、粉塵の舞い上がりが抑制される。したがって、煙突Ｗを解体する際に粉塵が周辺環境に飛散することを確実に防ぐことができる。
【００２１】
ここで、本実施形態では、可動破砕腕６２の刃先部６２ａの一部に、刃先部６２ａの先端に開口する孔６９が形成され、この孔６９内に噴射ノズル７０が装着されているので、噴射ノズル７０からの水が可動破砕腕６２の刃先部６２ａの先端から噴射されることになる。そのため、刃先食い込み部分Ｗｂに確実に水が掛けられる。
【００２２】
また、給水ホース７１が可動破砕腕６２の中空部を通して噴射ノズル７０に接続されていることにより、可動破砕腕６２の閉じ動作による被破砕部Ｗａの圧砕時に給水ホース７１が被破砕部から保護され、給水ホース７１が破損することを防ぐことができる。
【００２３】
ところで、噴射ノズル７０への給水圧はコンクリートの圧縮強度（約３０ＭＰａ）以上であることが望ましい。そこで、本実施形態では、高圧水発生装置２４ａにより昇圧させた水を噴射ノズル７０に給水している。このように高圧水を噴射することにより、破砕動作中に刃先食い込み部分Ｗｂに生ずる細かな亀裂にも確実に水を浸透させることができる。
【００２４】
また、噴射ノズル７０からの水噴射タイミングは手動で任意に決定できるようにすると共に、可動破砕腕６２の閉じ動作で自動的に水を噴射することもできるようにする。この場合、可動破砕腕６２の刃先部６２ａにある程度の力がかかったときに水が噴射されるようにしてもよい。
【００２５】
ところで、上記実施形態では、噴射ノズル７０が可動破砕腕６２の刃先部６２ａに形成した孔６９の奥まった位置に装着されている。そのため、噴射ノズル７０は可動破砕腕６２の刃先部６２ａの先端から露出せず、被破砕部Ｗａへの刃先部の食い込みにより噴射ノズル７０が破損することを防ぐことができる。但し、図３に示す如く、噴射ノズル７０として超硬製ノズルを用い、噴射ノズル７０をその先端が可動破砕腕６２の刃先の一部を成すように孔６９内に装着してもよい。
【００２６】
以上、本発明の実施形態について図面を参照して説明したが、本発明は上記実施形態に限定されるものでなく、本発明の技術思想の範囲内において種々の変形及び変更が可能である。例えば、上記実施形態では、噴射ノズル７０が可動破砕腕６２の刃先部６２ａに設けられるとしたが、上記従来例と同様に、固定破砕腕６１の上部に、被破砕部Ｗａの上端に向けて水を噴射する噴射ノズルを更に設けるようにしてもよい。また、上記実施形態では、架台５に搭載された水槽２４内の水を給水ホース７１を介して噴射ノズル７０に供給するようにしたが、給水ホース７１をクレーン２に沿って地上にまで延長し、この延長された給水ホースを介して地上に設けられた貯水タンク内の水を噴射ノズル７０に圧送するようにしてもよい。
【図面の簡単な説明】
【００２７】
【図１】本発明の実施形態の中空塔状構造物用解体装置を示す正面図。
【図２】図１示の中空塔状構造物用解体装置の要部を示す拡大図。
【図３】他の実施形態の可動破砕腕の刃先部の断面図。
【符号の説明】
【００２８】
１…中空塔状構造物用解体装置、  ２…クレーン、  ５…架台、  ６…破砕装置、  ６１…固定破砕腕、  ６２…可動破砕腕、  ６２ａ…可動破砕腕の刃先部、６９…孔、  ７０…噴射ノズル、  ７１…給水ホース  Ｗ…中空塔状構造物、  Ｗａ…被破砕部。
【図１】
2008196225.tif 000003
【図２】
2008196225.tif 000004
【図３】
2008196225.tif 000005